(57)【要約】【課題】  簡単な構成で記録位置精度を高める。【解決手段】  本発明の記録装置は、搬送方向に沿って形成された凸部を有し、レンチキュラーレンズを有する記録媒体の前記レンチキュラーレンズに前記凸部を接触させることによって前記記録媒体を前記搬送方向に案内するガイドと、前記記録媒体を前記ガイドに押圧する押圧部材と、を備える。【選択図】図３
2010228108.tif 000002
【特許請求の範囲】
【請求項１】
搬送方向に沿って形成された凸部を有し、レンチキュラーレンズを有する記録媒体の前記レンチキュラーレンズに前記凸部を接触させることによって前記記録媒体を前記搬送方向に案内するガイドと、
前記記録媒体を前記ガイドに押圧する押圧部材と、
を備えることを特徴とする記録装置。
【請求項２】
請求項１に記載の記録装置であって、
前記押圧部材は、前記搬送方向に搬送中の前記記録媒体に対して前記押圧力を作用させることを特徴とする記録装置。
【請求項３】
請求項１又は２に記載の記録装置であって、
前記押圧部材は、前記ガイドの前記凸部と対向する位置に設けられていることを特徴とする記録装置。
【請求項４】
請求項１〜３のいずれかに記載の記録装置であって、
前記ガイドには複数の前記凸部が形成されており、
前記押圧部材には凸部が形成されており、
前記押圧部材の凸部は、前記ガイドの前記凸部の間と対向する位置に設けられている
ことを特徴とする記録装置。
【請求項５】
請求項１〜４のいずれかに記載の記録装置であって、
前記レンチキュラーレンズを有しない記録媒体を記録するときには、前記押圧部材は前記記録媒体を前記ガイドに押圧しないことを特徴とする記録装置。
【請求項６】
請求項１〜５のいずれかに記載の記録装置であって、
前記記録媒体が前記ガイド上で回転可能に前記押圧部材が設けられていることを特徴とする記録装置。
【請求項７】
搬送方向に沿って形成された凸部を有するガイドを用意すること、
レンチキュラーレンズを有する記録媒体の前記レンチキュラーレンズに前記凸部を接触させることによって前記記録媒体を前記搬送方向に案内すること、及び
前記記録媒体を前記ガイドに押圧すること
を有する搬送方法。
【発明の詳細な説明】
【技術分野】
【０００１】
本発明は、記録装置及び搬送方法に関する。
【背景技術】
【０００２】
レンチキュラーレンズの背面に画像を配置することによって、立体画像あるいは見る角度に応じて絵柄が変化する画像が得られることが知られている。このような画像を得る際に、レンチキュラーレンズの背面に画像を貼り合わせても良いが、レンチキュラーレンズの背面に画像を直接記録することも行われている。
【０００３】
レンチキュラーレンズの背面の画像（レンチキュラー画像）は、レンチキュラーレンズのレンズ配列に精度良く合わせる必要がある。このため、レンチキュラーレンズの背面に画像を記録する場合にも、レンチキュラーレンズと画像とを精度良く位置合わせする必要がある。
【０００４】
特許文献１では、センサーを用いてレンチキュラーレンズの位置を検出し、この検出結果に基づいて所定の位置に記録を行う技術が開示されている。また、特許文献２には、搬送用トレイに載置された記録媒体がトレイ上で位置ずれしない対策を施し、記録位置の精度を高める技術が開示されている。
【先行技術文献】
【特許文献】
【０００５】
【特許文献１】特許第３４７１９３０号公報
【特許文献２】特開２００７−１３０７６９号公報
【発明の概要】
【発明が解決しようとする課題】
【０００６】
特許文献１では、レンチキュラーレンズの位置を検出するためのセンサーが必要になるため、装置のコストが高くなる。また、特許文献２では、搬送トレイに対する記録媒体の位置ずれを抑制できても、搬送トレイが搬送方向に対して傾斜した状態で搬送されてしまうと、記録媒体への画像記録位置の精度が低下する。  
本発明は、簡単な構成で記録位置精度を高めることを目的とする。
【課題を解決するための手段】
【０００７】
上記目的を達成するための主たる発明は、搬送方向に沿って形成された凸部を有し、レンチキュラーレンズを有する記録媒体の前記レンチキュラーレンズに前記凸部を接触させることによって前記記録媒体を前記搬送方向に案内するガイドと、前記記録媒体を前記ガイドに押圧する押圧部材と、を備えることを特徴とする記録装置である。
【０００８】
本発明の他の特徴については、本明細書及び添付図面の記載により明らかにする。
【図面の簡単な説明】
【０００９】
【図１】図１Ａは、レンズシートの拡大断面図である。図１Ｂは、レンズシートをレンチキュラーレンズ側から見た図である。図１Ｃは、別のレンズシートの説明図である。
【図２】記録装置の概略構成を説明するためのブロック図である。
【図３】記録装置を後方から見た斜視図である。
【図４】図３に示す部分Ｒの拡大図である。
【図５】図５Ａは、レンズシートがガイドに対して斜めに載置された様子を上から見た図である。図５Ｂは、図５ＡのＡ−Ａ断面図である。図５Ｃは、図５ＡのＢ−Ｂ断面図である。
【図６】図６Ａは、図３のガイドの配置の概略説明図である。図６Ｂは、第１変形例のガイドの配置の説明図である。図６Ｃは、第２変形例のガイドの配置の説明図である。図６Ｄは、第３変形例のガイドの配置の説明図である。図６Ｅは、第４変形例のガイドの配置の説明図である。図６Ｆは、第５変形例のガイドの配置の説明図である。
【図７】図７Ａは、図３のガイドの係合部の断面形状の説明図である。図７Ｂは、第１変形例の係合部の断面形状の説明図である。図７Ｃは、第２変形例の係合部の断面形状の説明図である。図７Ｄは、第３変形例の係合部の断面形状の説明図である。図７Ｅは、第４変形例の係合部の断面形状の説明図である。
【図８】図８Ａは、図３のガイドの搬送方向上流側の端面の説明図である。図８Ｂは、ガイドの端面形状の変形例の説明図である。
【図９】図９Ａは、図３のガイドの係合部の端部形状の説明図である。図９Ｂ〜図９Ｅは、係合部の凸部の端部形状の変形例である。
【図１０】変形例のガイドの一部を上から見た図である。
【図１１】図１１Ａは、凸部の個数の第１変形例の説明図である。図１１Ｂは、凸部の個数の第２変形例の説明図である。図１１Ｃは、凸部の個数の第３変形例の説明図である。図１１Ｄは、凸部の個数の第４変形例の説明図である。
【図１２】図１２Ａは、図６Ｃのガイドを上から見た図である。図１２Ｂは、凸部の形成位置の第１変形例の説明図である。図１２Ｃは、凸部の形成位置の第２変形例の説明図である。
【図１３】図１３Ａは、ガイドを搬送方向から見た図である。図１３Ｂは、レンズシートの搬送位置の概略説明図である。図１３Ｃは、普通紙の搬送位置の概略説明図である。
【図１４】図１２Ｃのガイドに対する押圧ローラーの一例の説明図である。
【図１５】図１５Ａは、押圧ローラーの表面に凸部を設けた変形例の説明図である。図１５Ｂは、押圧ローラーの表面に凸部を設けた別の変形例の説明図である。
【図１６】図１６Ａは、押圧ローラーの第１変形例の説明図である。図１６Ｂは、押圧ローラーの第２変形例の説明図である。図１６Ｃは、押圧ローラーの第３変形例の説明図である。
【図１７】検査用画像の説明図である。
【図１８】レンチキュラーレンズの側から見た検査用画像の説明図である。
【図１９】図１９Ａは、ＡＳＦを備えた記録装置の説明図である。図１９Ｂは、開閉可能な給紙カセットを備えた記録装置の説明図である。
【発明を実施するための形態】
【００１０】
本明細書及び添付図面の記載により、少なくとも、以下の事項が明らかとなる。
【００１１】
搬送方向に沿って形成された凸部を有し、レンチキュラーレンズを有する記録媒体の前記レンチキュラーレンズに前記凸部を接触させることによって前記記録媒体を前記搬送方向に案内するガイドと、前記記録媒体を前記ガイドに押圧する押圧部材と、を備えることを特徴とする記録装置が明らかになる。このような記録装置によれば、簡単な構成で記録位置精度を高めることができる。
【００１２】
前記押圧部材は、前記搬送方向に搬送中の前記記録媒体に対して前記押圧力を作用させることが望ましい。これにより、記録媒体がガイドに対して斜めであっても、斜行を防止できる。
【００１３】
前記押圧部材は、前記ガイドの前記凸部と対向する位置に設けられていることが望ましい。これにより、記録媒体がガイドに対して斜めであっても、斜行を防止できる。
【００１４】
前記ガイドには複数の前記凸部が形成されており、前記押圧部材には凸部が形成されており、前記押圧部材の凸部は、前記ガイドの前記凸部の間と対向する位置に設けられていることが望ましい。これにより、斜行が修正されやすくなる。
【００１５】
前記レンチキュラーレンズを有しない記録媒体を記録するときには、前記押圧部材は前記記録媒体を前記ガイドに押圧しないことが望ましい。これにより、記録媒体に凸部の痕が残らずに済む。
【００１６】
前記記録媒体が前記ガイド上で回転可能に前記押圧部材が設けられていることが望ましい。これにより、斜行が修正されやすくなる。
【００１７】
搬送方向に沿って形成された凸部を有するガイドを用意すること、レンチキュラーレンズを有する記録媒体の前記レンチキュラーレンズに前記凸部を接触させることによって前記記録媒体を前記搬送方向に案内すること、及び前記記録媒体を前記ガイドに押圧することを有する搬送方法が明らかになる。このような記録方法によれば、簡単な構成で記録位置精度を高めることができる。
【００１８】
＝＝＝レンズシート＝＝＝
まず、レンチキュラーレンズを有する記録媒体であるレンズシートについて説明する。  
図１Ａは、レンズシートの拡大断面図である。図１Ｂは、レンズシートをレンチキュラーレンズ側から見た図である。図１Ｃは、別のレンズシートの説明図である。
【００１９】
レンズシートＬは、レンチキュラーレンズ７と、画像形成層８とを有する。  
レンチキュラーレンズ７は、多数のシリンドリカルレンズ１３をシート面方向に配列した樹脂製の光学部材（シリンドリカルレンズアレイ）である。以下の説明では、シリンドリカルレンズ１３の母線方向を「ｘ方向」とし、シリンドリカルレンズ１３の並ぶ方向を「ｙ方向」とする（ｘ、ｙは小文字）。また、各シリンドリカルレンズ１３の最も突出している部分（ピーク）を「山」と呼び、シリンドリカルレンズ間の凹部分を「谷」と呼び、山の連なる線を「稜線」と呼び、稜線と平行な方向を「母線方向」と呼ぶことがある。
【００２０】
画像形成層８は、インク透過層８Ａと、インク吸収層８Ｂとを有する。インク透過層８Ａは、レンズシートＬの外側に位置し、インク吸収層８Ｂは、インク透過層８Ａとレンチキュラーレンズ７との間に位置する。レンズシートＬの画像形成層８の側からインクジェット記録方式で画像を記録すると、インクがインク透過層８Ａを透過してインク吸収層８Ｂに吸収され、レンチキュラーレンズ７越しに画像を視認できる。
【００２１】
なお、レンズシートＬの画像形成層８は無くても良い。例えば、紫外線硬化インクを用いれば、インク透過層８Ａやインク吸収層８Ｂなどが無くても、レンチキュラーレンズ７の背面に直接画像を記録することができる。
【００２２】
以下に説明する本実施形態の記録装置は、レンチキュラーレンズ７の形状を利用して、レンチキュラーレンズ７の母線方向（ｘ方向）に沿ってレンズシートＬを搬送する。具体的には、搬送方向に沿って凸部をガイド（後述）上に形成しておき、この凸部にシリンドリカルレンズ間の谷間が係合しながらレンズシートＬを滑らせるように搬送することによって、記録装置の搬送方向とレンズの母線方向（ｘ方向）とが一致するようにしている。
【００２３】
これにより、記録装置の記録位置（ヘッドがインクを吐出して画像を形成する位置）において、レンチキュラーレンズ７の各シリンドリカルレンズ１３が所定位置に位置決めされた状態になる。この結果、レンチキュラーレンズ７のレンズ配列に合わせて、精度良く画像を記録できる。
【００２４】
なお、図１Ｂでは、レンズシートＬの辺の方向は、ｘ方向やｙ方向と一致している。但し、図１Ｃのように、レンズシートＬの種類により、若しくはレンズシートＬの製造精度により、レンズシートＬの辺の方向は、ｘ方向やｙ方向と一致しないことがある。本実施形態の記録装置は、図１ＣのようなレンズシートＬに対しても、記録装置の搬送方向とレンズの母線方向（ｘ方向）とを一致させ、レンチキュラーレンズ７のレンズ配列に合わせて、精度良く画像を記録できる。
【００２５】
また、図１Ｂのような場合においても、レンズシートＬの辺にシリンドリカルレンズ１３の山が位置することもあるし、谷が位置することもある。本実施形態の記録装置によれば、レンズシートＬの辺にシリンドリカルレンズ１３の山が位置するか谷が位置するかに関わらず、レンチキュラーレンズ７の各シリンドリカルレンズ１３が所定位置に位置決めされた状態になる。
【００２６】
＝＝＝本実施形態＝＝＝
＜記録装置の概要＞
図２は、記録装置の概略構成を説明するためのブロック図である。図３は、記録装置を後方から見た斜視図である。なお、図３において、記録装置１００の搬送方向をＸ方向とし、ヘッドの主走査方向をＹ方向とし、鉛直方向をＺ方向とする（Ｘ、Ｙ、Ｚは大文字）。後述するように、Ｘ方向（記録装置１００の搬送方向）とｘ方向（レンズシートＬのレンズの母線方向）は、一致することになる。
【００２７】
外部装置であるコンピューター１１０は、記録装置１００に記録させるための画像を生成し、記録用データを記録装置１００に送信する。レンズシートＬに記録を行う場合には、コンピューター１１０は、ユーザーの指定した複数の画像をレンズピッチ等に応じて加工・合成することによって記録用の画像を生成し、その画像を記録させるための記録用データを記録装置１００に送信する。なお、記録用データを生成する機能を記録装置１００が備えていても良い。  
記録装置１００は、コンピューター１１０から受信した記録用データに基づいて、媒体に記録を行う。レンズシートＬに記録を行う場合には、レンズピッチに応じて生成された記録用データに基づいて、レンズシートＬの背面に画像を記録する。
【００２８】
記録装置１００は、筐体２と、ガイド３と、搬送ローラー４及び排紙ローラー５と、ヘッド６等を有する。筐体２は、記録装置１００の外装体である。ガイド３は、レンズシートＬを支持すると共に、レンズシートＬを搬送方向に案内する。搬送ローラー４及び排紙ローラー５は、ガイド３上に載置されたレンズシートＬを搬送方向に搬送する。ヘッド６は、レンズシートＬに対して記録を行う。
【００２９】
筐体２には、給紙開口部９と、排紙開口部１０とが設けられている。給紙開口部９から供給されたレンズシートＬは、搬送ローラー４及び排紙ローラー５によって搬送方向に搬送されると共に、ヘッド６によって記録が行われ、排紙開口部１０から記録装置１００の外部に排出される。
【００３０】
ガイド３は、搬送ローラー４と排紙ローラー５の下に配置され、全体として矩形の板状体を呈している。ガイド３は、搬送方向に関して、給紙開口部９よりも突出した位置から、排紙開口部１０と排紙ローラー５との間の位置までに及ぶ長さがある。また、Ｙ方向（若しくはレンズシートＬの幅方向）に関して、レンズシートＬの全幅を支持できるだけの幅がある。
【００３１】
ヘッド６の前後には、搬送ローラー４と排紙ローラー５が配置されている。搬送ローラー４は、給紙開口部９から供給されたレンズシートＬを記録位置（ヘッド６が記録を行う位置）に搬送するためのローラーである。排紙ローラー５は、記録位置で記録されたレンズシートＬを排紙開口部１０へ排出するためのローラーである。搬送ローラー４は搬送用モーター１６によって回転駆動され、排紙ローラー５は排紙用モーター１７によって回転駆動される。
【００３２】
ヘッド６は、インクを吐出するインクジェット型の記録ヘッドであり、キャリッジ１８の下面に取り付けられている。キャリッジ１８は、Ｙ方向に沿って設けられたキャリッジガイド１９によってＹ方向に移動可能に支持され、キャリッジ用モーター２０により駆動されるタイミングベルト２１に取り付けられている。このため、キャリッジ用モーター２０によりタイミングベルト２１が回転駆動すると、キャリッジ１８と共にヘッド６がＹ方向に往復移動することができる。
【００３３】
コントローラーは、搬送用モーター１６や排紙用ローラー１７を制御することによって、レンズシートＬの搬送方向への搬送を制御する。また、コントローラーは、キャリッジ用モーター２０を制御することによって、ヘッド６の移動を制御する。また、コントローラーは、ヘッド６からのインクの吐出を制御する。これにより、コントローラーは、レンズシートＬの所望の位置に画像を記録することができる。なお、レンズシートＬに画像を記録するときには、画像形成層８の側がヘッド６に対向し、レンチキュラーレンズ７の側がガイド３と接触するように、レンズシートＬをガイド３に載置する。これにより、ヘッド６は画像形成層８に対して記録を行い、レンチキュラーレンズ７の側から画像形成層８に記録された画像を視認することができる記録物が作成される。
【００３４】
＜ガイドの構成＞
図４は、図３に示す部分Ｒの拡大図である。
【００３５】
ガイド３は、板状の基板１１と、係合部１２とを備えている。係合部１２は、レンチキュラーレンズ７と同一形状であり、基板１１上に設けられている。すなわち、シリンドリカルレンズ１３と同一形状の線条の凸部１４が、レンズピッチと同じピッチで並んでいる。このため、レンチキュラーレンズ７を転用して係合部１２を形成しても良い。係合部１２の形状がレンチキュラーレンズ７と同一形状であるため、ここでは、係合部１２の凸部１４の最も突出している部分を「山」と呼び、凸部１４の間の凹部分を「谷」と呼び、山の連なる線を「稜線」と呼び、稜線と平行な方向を「母線方向」と呼ぶことがある。
【００３６】
ガイド３は、線条の凸部１４の母線方向が記録装置１００の搬送方向（Ｘ方向）と一致するように位置調整されて、記録装置１００に取り付けられている。また、線条の凸部１４は、レンズシートＬの幅よりも広い幅に亘って並設されている。
【００３７】
係合部１２がレンチキュラーレンズ７と同一形状であるため、レンチキュラーレンズ７の側を下にしてレンズシートＬをガイド３に載置したときに、レンチキュラーレンズ７のシリンドリカルレンズ１３とガイド３の凸部１４とが噛み合い、ガイド３の凸部１４がシリンドリカルレンズ１３の山と山の間に位置し、シリンドリカルレンズ１３の山がガイド３の凸部１４と凸部１４の間に位置する。この結果、レンズシートＬは、ガイド３に対してＹ方向の動きが制限され、Ｙ方向に位置決めされる。一方、凸部１４の母線方向（図４の紙面垂直方向、Ｘ方向）の制約はないため、レンズシートＬは、ガイド３の凸部１４の母線方向である搬送方向に沿って、搬送可能である。すなわち、ガイド３は、レンズシートＬを、Ｙ方向への移動を拘束したまま、搬送方向に案内する。
【００３８】
＜押圧力による斜行防止＞
レンズシートＬがガイド３に対して斜めに載置されることがある。すなわち、記録装置１００の搬送方向（Ｘ方向）と、レンズシートＬのレンズの母線方向（ｘ方向）とが一致しない状態で、レンズシートＬがガイド３に載置されることがある。このような状態では、レンズシートＬがＹ方向に位置決めされていない。但し、このような場合においても、レンズシートＬをガイド３に押し付けながら搬送することによって、レンズシートＬが斜行されて搬送されることを防止できる。
【００３９】
２枚のレンズシートを用意し、最初は２枚のレンズシートの母線方向を交差させた状態（レンズ同士の山が噛み合っていない状態）でレンズ面同士を対向させて重ね合わせ、その状態で２枚のレンズシートを滑らせると（擦り合わせると）、２枚のレンズシートの母線方向が一致して、レンズ同士の山が噛み合う状態になる。本実施形態の記録装置１００がレンズシートＬをガイド３に押付けながら搬送することによって斜行防止できるのは、この現象を利用したものである。
【００４０】
図５Ａは、レンズシートがガイド３に対して斜めに載置された様子を上から見た図である。図５Ｂは、図５ＡのＡ−Ａ断面図である。図５Ｃは、図５ＡのＢ−Ｂ断面図である。図５Ａでは、ガイド３やレンズの山の位置を点線で示し、谷の位置を実線で示し、ガイド３を太線で示し、レンズを細線で示している。また、説明の簡略化のため、山や谷の数を少なくしている。
【００４１】
図５ＡのようにレンズシートＬがガイド３に対して斜めに載置されると、図５ＢのようにレンズシートＬとガイド３の山同士が接触する所がある。したがって、図４の状態と比較すると、レンズシートＬとガイド３との間隔が広くなっている。このため、図５Ｃに示すように、レンズシートＬの山がガイド３から離れる部分が生じる。図５Ｃの状態のＢ−Ｂ断面の位置に押圧力が作用すると、図４のようにレンズシートＬの山がガイド３の谷に入り込んで接触するようにレンズシートＬが撓む。この結果、Ｂ−Ｂ断面の位置に押圧力が作用すると、Ｂ−Ｂ断面の位置では、レンズシートＬの左右方向（Ｙ方向）の移動が制限される。  
その状態からレンズシートＬが搬送方向に搬送されると、押圧力の作用する位置がＢ−Ｂ断面の位置からずれる。この結果、Ｂ−Ｂ断面からずれた位置においても、図４のようにレンズシートＬの山がガイド３の谷に入り込む。このとき、Ｂ−Ｂ断面の位置で図４のような状態が維持されたまま、Ｂ−Ｂ断面からずれた位置でも図４のような状態になろうとするため、Ａ−Ａ断面のようにレンズシートＬの山がガイド３の山と接触している位置（図５Ａ、図５Ｂ参照）では、レンズシートＬの山がガイド３の曲面に沿って滑る（この場合、レンズシートＬの山が右方向に滑る）。これにより、斜行が解消される方向（図５Ａの反時計回り）にレンズシートＬが回転し、斜行が修正される（レンズシートＬの母線方向とガイド３の母線方向が一致する）。
【００４２】
斜行が修正され、レンズシートＬの山とガイド３の山とが一旦噛み合うと、もはやレンズシートＬが回転する動きは拘束され、また、レンズシートＬに対して回転方向に作用する力も生じない。また、レンズシートＬの山とガイド３の山とが噛み合った状態でレンズシートＬが押圧力を受けると、レンズシートＬとガイド３との間に隙間が空かなくなり、ガイド３に対するレンズシートＬの動きはＸ方向だけに限定されるので、継続的に斜行が防止される。
【００４３】
本実施形態では、搬送ローラー４がバネ要素（図６Ａのバネ要素４Ａ）によってレンズシートＬをガイド３に押し付けながら搬送している。これにより、レンズシートＬの斜行が防止され、Ｘ方向（記録装置１００の搬送方向）とｘ方向（レンズシートＬのレンズの母線方向）が一致する。また、本実施形態では、排紙ローラー５もバネ要素によってレンズシートＬをガイド３に押し付けながら搬送している。このため、レンズシートＬの後端が搬送ローラー４の位置を通過しても、継続してレンズシートＬの斜行が防止され、Ｘ方向とｘ方向が一致する。
【００４４】
＝＝＝ガイドの変形例＝＝＝
＜配置について＞
図６Ａは、図３のガイドの配置の概略説明図である。前述のガイド３は、搬送方向に関して、給紙開口部９よりも突出した位置から、排紙開口部１０と排紙ローラー５との間の位置までに及ぶ長さがあった。  
但し、ガイド３の配置は、このような構造に限られるものではない。以下、ガイド３の配置の変形例を説明する。
【００４５】
図６Ｂは、第１変形例のガイドの配置の説明図である。このガイド３は、搬送方向に関して、給紙開口部９よりも突出した位置から、搬送ローラー４の手前の位置までの長さしかない。このようなガイド３であっても、搬送方向に沿って形成された凸部１４によってレンズシートＬが位置決めされつつ搬送されるので、レンズシートＬの斜行が防止され、Ｘ方向（記録装置１００の搬送方向）とｘ方向（レンズシートＬのレンズの母線方向）が一致する。なお、この変形例では、ガイド３が搬送ローラー４の手前の位置までの長さしかないため、搬送ローラー４とは別の押圧ローラー２４が設けられ、押圧ローラー２４がバネ要素２４ＡによってレンズシートＬをガイド３に押し付けている。このように、レンズシートＬをガイド３に押し付ける押圧ローラー２４は、搬送ローラー４で兼用する必要はない。  
なお、図６Ａではガイド３がヘッド６と対向する位置でレンズシートＬを支持しているが、図６Ｂでは、ヘッド６と対向する位置でレンズシートＬを支持するため、プラテン２３がガイド３とは別に設けられている。
【００４６】
図６Ｃは、第２変形例のガイドの配置の説明図である。このガイド３は、給紙開口部９から突出した位置にはなく、押圧ローラー２４と対向する位置に設けられている。このようなガイド３であれば、搬送方向の長さを短くできる。
【００４７】
図６Ｄは、第３変形例のガイドの配置の説明図である。このガイド３は、搬送方向に関して、搬送ローラー４とヘッド６との間に設けられている。言い換えると、このガイド３は、搬送方向に関して、搬送ローラー４とプラテン２３との間に設けられている。このようなガイド３であっても、搬送ローラー４から搬送されてきたレンズシートＬを位置決めしつつ案内できるので、レンズシートＬの斜行が防止され、Ｘ方向（記録装置１００の搬送方向）とｘ方向（レンズシートＬのレンズの母線方向）が一致する。  
なお、図６Ｄの構成によれば、図６Ｃの構成と比較して、記録位置に近い所でガイド３がレンズシートＬを案内するので、記録位置にレンズシートＬを精度良く位置決めできる。一方、図６Ｃの構成によれば、搬送用モーター１６によって回転駆動される搬送ローラー４を記録位置の近くに設けられるので、装置を小型化できる。
【００４８】
図６Ｅは、第４変形例のガイドの配置の説明図である。給紙部２５は、多数のレンズシートＬを積層して収容できる。このような給紙部２５から搬送ローラー４までの間の給紙経路に、ガイド３が設けられても良い。図中には、給紙部２５の直後に、ガイド３が設けられている。このような位置でガイド３がレンズシートＬを案内しても、レンズシートＬの斜行を防止し、Ｘ方向（記録装置１００の搬送方向）とｘ方向（レンズシートＬのレンズの母線方向）を一致させることが可能である。
【００４９】
図６Ｆは、第５変形例のガイドの配置の説明図である。このように、ガイド３が、ヘッド６よりも搬送方向下流側に設けられても良い。このような位置にガイド３があれば、レンズシートＬの後端が搬送ローラー４を通過した後も、ガイド３がレンズシートＬを案内することができる。
【００５０】
＜係合部の形状について（１）＞
図７Ａは、図３のガイドの係合部の断面形状の説明図である。前述のガイド３は、レンチキュラーレンズ７と同一形状であった。  
但し、ガイド３の係合部１２は、このような形状に限られるものではない。以下、ガイド３の係合部１２の形状の変形例について説明する。なお、以下のいずれの係合部１２も、図７Ａと同様に、搬送方向に沿った凸部１４を有している。
【００５１】
図７Ｂは、第１変形例の係合部の断面形状の説明図である。第１変形例の係合部１２の断面形状は、レンチキュラーレンズ７の反対形状である。言い換えると、第１変形例の係合部１２の凸部１４は、レンチキュラーレンズ７の凹部に合う形状になっている。このため、図７Ａでは凸部１４の曲率中心は係合部１２の内側（下側）にあったが、第１変形例の係合部１２の凸部１４の曲率中心は、係合部１２の外側（上側）にある。このような第１変形例の係合部１２であれば、レンズシートＬのＹ方向の拘束を強固にできる。
【００５２】
図７Ｃは、第２変形例の係合部の断面形状の説明図である。第２変形例の係合部１２は曲面を持たず、凸部１４の断面は三角形状である。このような形状であっても、レンズシートＬをＹ方向に拘束できる。
【００５３】
図７Ｄは、第３変形例の係合部の断面形状の説明図である。第３変形例の係合部１２は、図７Ａ〜図７Ｃと比較すると、凸部１４の間隔が２倍になっている。このように、凸部１４の間隔をレンズピッチｐの整数倍にしても、レンズシートＬをガイド３に載置したときにガイド３の凸部１４がシリンドリカルレンズ１３の谷に位置するので、レンズシートＬは、ガイド３に対してＹ方向の動きが制限され、Ｙ方向に位置決めされる。
【００５４】
図７Ｅは、第４変形例の係合部の断面形状の説明図である。第３変形例の係合部１２は、凸部１４の断面が矩形状である。このような形状であっても、レンズシートＬをＹ方向に拘束できる。但し、図７Ａ〜図７Ｄの係合部１２の方が、図７Ｅの係合部１２よりも、レンズとの間に隙間が生じにくいので、位置決め精度が高い。
【００５５】
＜係合部の形状について（２）＞
図８Ａは、図３のガイドの搬送方向上流側の端面の説明図である。図のようにガイド３の端面３Ａの法線方向が搬送方向（Ｘ方向）になると、レンズシートＬがガイド３に向かって搬送されてきたときに、レンズシートＬの上端がガイド３の端面３Ａにぶつかり、シートが詰まりやすい。
【００５６】
図８Ｂは、ガイドの端面形状の変形例の説明図である。変形例では、ガイド３の搬送方向上流側の端面３Ｂの法線方向がＺ方向成分を有するように、ガイド３の端面を斜面にしている。これにより、レンズシートＬの上端がガイド３の端面３Ｂにぶつかったとき、レンズシートＬの上端が上に案内され、シートが詰まりにくくなる。
【００５７】
なお、前述の図６Ｃ〜図６Ｆのように、ガイド３よりも搬送方向上流側からレンズシートＬが搬送されてくる構成の場合に、図８Ｂの変形例が有利である。
【００５８】
＜係合部の形状について（３）＞
図９Ａは、図３のガイドの係合部の端部形状の説明図である。図のように、係合部１２の断面形状が端部まで同じだと、レンズシートＬがガイド３に向かって搬送されてきたときに、レンズシートＬの上端が係合部１２の凸部１４にぶつかり、シートが詰まりやすい。
【００５９】
そこで、図９Ｂ〜図９Ｅのように、係合部１２の凸部１４を、搬送方向上流側ほど小さくするようにしても良い。これにより、係合部１２の凸部１４の端が、搬送されてくるレンズシートＬの山と山の間に入り込みやすくなり、レンズシートＬの山を係合部１２の谷に案内し、レンズシートＬの谷を係合部１２の山に案内しやすくなる。
【００６０】
なお、前述の図６Ｃ〜図６Ｆのように、ガイド３よりも搬送方向上流側からレンズシートＬが搬送されてくる構成の場合に、図９Ｂ〜図９Ｅの変形例が有利である。
【００６１】
＜係合部の形状について（４）＞
前述の凸部１４は、Ｘ方向（搬送方向）に沿った線条の形状であった。しかし、凸部１４の形状は、線条に限られるものではない。
【００６２】
図１０は、変形例のガイドの一部を上から見た図である。正方格子状に多数の半球状突起が係合部１２に設けられている。突起３４と突起３４との間隔は、レンチキュラーレンズ７のレンズピッチｐと同じである。言い換えると、この変形例では、搬送方向に沿って複数の突起３４を設けることによって、搬送方向に沿った凸部１４が形成されており、このような凸部１４がレンズピッチｐと同じ間隔で並んでいる。このようなガイド３であっても、レンズシートＬをＹ方向に拘束しつつ、Ｘ方向に搬送できる。
【００６３】
なお、この変形例の突起３４の形状は半球状であったが、円錐状や四角錐状（ピラミッド状）にしても良い。また、突起同士のＹ方向の間隔は、必ずしもレンチキュラーレンズ７のレンズピッチｐと同じでなくてもよく、レンズピッチの整数倍の間隔であっても良い。また、Ｙ方向には突起３４を揃えて配置しなくても良い。
【００６４】
＜凸部の個数について＞
前述のガイド３には、多数の凸部１４がレンチキュラーレンズ７のレンズピッチと同じピッチでＹ方向に連続して設けられていた。しかし、ガイド３はこのような形状でなくても良い。
【００６５】
図１１Ａは、凸部の個数の第１変形例の説明図である。このように、凸部１４が単数であっても、凸部１４が搬送方向（図中の紙面に垂直な方向）に沿って形成されていれば、ガイド３はレンズシートＬをＹ方向に拘束しつつ搬送方向に搬送できる。  
図１１Ｂは、凸部の個数の第２変形例の説明図である。このように、複数の凸部１４が、レンチキュラーレンズ７のレンズピッチｐと同じ間隔で並んでいても良い。  
図１１Ｃは、凸部の個数の第３変形例の説明図である。このように、複数の凸部１４が、レンチキュラーレンズ７のレンズピッチｐの整数倍の間隔で並んでいても良い。  
図１１Ｄは、凸部の個数の第４変形例の説明図である。ガイド３に複数の凸部１４が設けられる場合、必ずしも等間隔である必要はなく、凸部１４同士の間隔が、レンチキュラーレンズ７のレンズピッチｐ若しくはその整数倍であれば良い。
【００６６】
なお、図１１Ａ〜図１１Ｄでは、凸部１４の形状を円筒状にしているが、既に説明したような別の形状であっても良い。ここでは、その説明を省略する。
【００６７】
＜凸部の形成位置（１）＞
図１２Ａは、図６Ｃのガイドを上から見た図である。図中の縦線でハッチングされた部分に凸部１４が形成されている。前述のガイド３では、ガイド３の全面に亘って凸部１４が設けられている。しかし、凸部１４を設ける場所は、必ずしもガイド３の全面に亘る必要はない。
【００６８】
図１２Ｂは、凸部の形成位置の第１変形例の説明図である。記録装置１００が記録可能なレンズシートＬの大きさが複数ある場合、その最小記録幅に合わせて凸部１４を形成するのが良い。例えば、名刺サイズ〜Ａ４サイズのレンズシートＬに記録を行う場合には、最小記録幅となる名刺サイズのレンズシートＬが通過する位置に合わせて凸部１４を形成するのがよい。これにより、どの大きさのレンズシートＬが搬送されるときにも、レンズシートＬの少なくとも一部が凸部形成位置を通過し、そのときにレンズシートＬの斜行が防止される。  
なお、どの大きさのレンズシートＬであってもレンズシートＬの右側端の位置が同じになるように記録装置１００がレンズシートＬを搬送する構成であれば、図１２Ｂのような位置に凸部１４が形成される。仮に、どの大きさのレンズシートＬであってもレンズシートＬの中央が同じになるように記録装置１００がレンズシートＬを搬送する構成であれば、図１２Ｂのハッチングされた部分は中央になる。
【００６９】
図１２Ｃは、凸部の形成位置の第２変形例の説明図である。図１２Ｂの場合、Ａ４サイズのレンズシートＬを搬送すると、凸部１４が形成された側に搬送時の摩擦力がかかり、精度良くレンズシートＬを搬送することが難しい。そこで、この変形例では、図中の右側だけでなく、左側にも凸部１４を形成することによって、Ａ４サイズのレンズシートＬを搬送するときに、レンズシートＬの両側に摩擦力が作用するようにし、精度良くレンズシートＬを搬送可能にしている。また、他の定型サイズのレンズシートＬの搬送時にもレンズシートＬの両側に摩擦力が作用するように、各定型サイズの搬送時の左側端の位置に合わせて凸部１４を形成すると良い。
【００７０】
＜凸部の形成位置（２）＞
記録装置１００は、レンズシートＬに記録を行うだけでなく、紙に記録できても良い。このような記録装置１００においてガイド３上の紙に押圧力が作用すると、紙に凸部１４の形状が残るおそれがある。特に、ガイド３の一部だけに凸部１４が形成されている場合（例えば、図１１Ａや図１２Ｂのようなガイド３の場合）、紙に押圧力が作用すると、紙に集中荷重がかかり、紙に凸部１４の形状が残ってしまうおそれがある。
【００７１】
そこで、レンズシートＬに記録するときのレンズシートＬのＹ方向の位置と、紙に記録するときの紙のＹ方向の位置とを変えても良い。  
図１３Ａは、ガイドを搬送方向から見た図である。図１３Ｂは、レンズシートの搬送位置の概略説明図である。図１３Ｃは、普通紙の搬送位置の概略説明図である。なお、図中のレンズシートＬ及び凸部１４の形状等は実際とは異なっているが、これは説明を容易にするためである。  
図のようにレンズシートＬに記録するときのレンズシートＬのＹ方向の位置と、紙Ｓに記録するときの紙のＹ方向の位置とを変えれば、紙Ｓに凸部１４の形状が残らずに済む。言い換えると、レンズシートＬが通過する位置であって、紙Ｓが通過しない位置に、ガイド３の凸部１４が形成されると良い。
【００７２】
なお、レンズシートＬや紙Ｓの搬送時のＹ方向の位置を変更するため、搬送機構に搬送位置切り替え機構を設けても良い。若しくは、レンズシートＬや紙Ｓを給紙トレイ（例えば、図１９Ｂ参照）に収容する際に、給紙トレイ内での媒体（レンズシートＬや紙Ｓ）のＹ方向の収容位置をそれぞれ変えられるように給紙トレイが構成されており、搬送機構は、給紙トレイから媒体をそのまま搬送方向に搬送するだけであっても良い。
【００７３】
＝＝＝押圧ローラーの変形例＝＝＝
＜構成について＞
前述の実施形態では、搬送ローラー４若しくは搬送ローラー４とは別のローラー２４が、レンズシートＬをガイド３に押し付けるための押圧ローラーとなっていた（以下の説明では、搬送ローラー４と押圧ローラー２４をまとめて「押圧ローラー」と呼ぶことがある）。但し、レンズシートＬをガイド３に押し付ける押圧要素は、ローラーのように回転可能でなくても良い。例えば、低摩擦の部材で押圧要素を形成し、押圧要素は回転せずに、ガイド３と押圧要素との間をレンズシートＬが摺動されても良い。また、押圧要素は、ローラーのような形状でなくても良い。
【００７４】
＜配置について＞
図３の記録装置１００では、押圧ローラーである搬送ローラー４は、レンズシートＬの幅よりも長かった。しかし、押圧ローラーは、レンズシートＬの幅よりも短くても良い。  
押圧ローラーは、レンズシートＬの斜行防止するためにレンズシートＬをガイド３に押し付けているので、少なくともガイド３の凸部１４の形成された位置に対向して設けられていればよい。  
図１４は、図１２Ｃのガイドに対する押圧ローラーの一例の説明図である。このように、凸部１４の形成位置が複数ある場合には、各凸部形成位置に対向するように押圧ローラーを設けると良い。もちろん、図１２Ｃの場合においても、押圧ローラーの長さをレンズシートＬの幅よりも長くしても良い。
【００７５】
＜表面形状について＞
前述の押圧ローラーの表面に凹凸を形成しても良い。  
図１５Ａは、押圧ローラーの表面に凸部を設けた変形例の説明図である。押圧ローラーの凸部４４は、ガイド３の凸部１４と対向する位置に設けられている。このため、押圧ローラーの凸部４４の間隔は、レンズピッチｐと同じ間隔、若しくは、その整数倍である。押圧ローラーの凸部４４がガイド３の凸部１４と対向する位置にあるため、前述の図５ＡのＢ−Ｂ断面の位置で押圧力が作用するときに、レンズシートＬの山がガイド３の谷に向かって強く押され、斜行が修正されやすくなる。  
図１５Ｂは、押圧ローラーの表面に凸部を設けた別の変形例の説明図である。図１５Ｂの押圧ローラーの凸部４４は、ガイド３の凸部１４の間と対向する位置に設けられている。図５Ｃのような状態からレンズシートＬの山がガイド３の谷に入り込むことがレンズシートＬの斜行修正の契機になるので、押圧ローラーの凸部４４の位置は、図１５Ａよりも図１５Ｂの方が有利である。
【００７６】
なお、押圧ローラーに凸部４４を設ける場合には、押圧ローラーの凸部４４が変形しやすいようにゴムなどの弾性材を用いると良い。
【００７７】
＜押圧ローラーの押圧力について＞
記録装置１００は、レンズシートＬに記録を行うだけでなく、紙に記録できても良い。このような記録装置１００においてガイド３上の紙に押圧力が作用すると、紙に凸部１４の形状が残るおそれがある。  
そこで、レンズシートＬに記録するときには押圧ローラーの押圧力を強くし、紙に記録するときには押圧ローラーの押圧力を弱くするようにしても良い。この場合、押圧ローラーの軸の位置を調整する調整機構を設け、コントローラーが、記録する媒体の種類に応じて調整機構を制御すると良い。  
また、押圧力の強弱を調整するのではなく、レンズシートＬに記録するときには押圧ローラーを使用し、紙に記録するときには押圧ローラーを不使用にしても良い。この場合、押圧ローラーの出し入れ（使用／不使用）を制御する出し入れ機構を設け、コントローラーが、記録する媒体の種類に応じて、押圧ローラーの出し入れ機構を制御すると良い。
【００７８】
＜押圧ローラーによるレンズシートの回転の許容について＞
図５Ａで説明したように、レンズシートＬの斜行が修正されるとき、鉛直方向を軸にしてレンズシートＬが回転する。このため、押圧ローラーは、レンズシートＬが回転しやすい構成になっていることが望ましい。
【００７９】
図１６Ａは、押圧ローラーの第１変形例の説明図である。この押圧ローラーは、不図示の支持部によって、図中の×印を中心に回転可能である。なお、レンズシートＬの斜行が修正されると、レンズシートＬの山がガイド３の凸部１４の間に入り込み、押圧ローラーの押圧力を発生するバネ要素（図６Ａの４Ａや図６Ｂの２４Ａ）の伸び、押圧力が低下する。これにより、レンズシートＬの斜行が修正されると、レンズシートＬと共に回転した押圧ローラーは、元の位置に戻る。言い換えると、このようにバネ要素の押圧力を調整することが望ましい。
【００８０】
図１６Ｂは、押圧ローラーの第２変形例の説明図である。この押圧ローラーは、図１６Ａの押圧ローラーと比べると、長さが短い。このように、長さを短くすれば、回転後の押圧ローラーが元の位置に戻るときにレンズシートＬに作用する摩擦力が少なくて済む。なお、このように短い押圧ローラーを１個で構成する場合には、押圧ローラーは、レンズシートＬの中央（Ｙ方向の幅の中央）に配置することが望ましい。これにより、レンズシートＬへの押圧力が偏らずに済む。
【００８１】
図１６Ｃは、押圧ローラーの第３変形例の説明図である。２個の押圧ローラーが、レンズシートＬの両側端の近くに設けられている。そして、各押圧ローラーは、搬送方向に沿って移動可能である。これにより、レンズシートＬの斜行が修正されるとき、一方の押圧ローラーが搬送方向上流側に移動し、他方の押圧ローラーが搬送方向下流側に移動し、レンズシートＬの回転が許容される。このように、１対の押圧ローラーが搬送方向に対称移動可能に支持されていても良い。
【００８２】
なお、レンズシートＬを回転しやすくする押圧ローラーの構成は、上記のものに限られない。単にレンズシートＬの表面を低摩擦な部材で構成するだけでも良い。
【００８３】
＝＝＝ガイドの位置調整＝＝＝
ガイド３は、凸部１４の方向が搬送方向に沿うように調整して記録装置１００に取り付ける必要がある。ここでは、ガイド３の取り付け時の調整方法について説明する。
【００８４】
図１７は、検査用画像の説明図である。  
検査用画像ＣＭは、複数本のラインＬｎを有する画像である。複数のラインＬｎの中心のラインＬＡは、画像データ上では搬送方向に沿ったラインになっている。検査用画像ＣＭのラインＬＡの左右にあるラインＬｎは、一定角度ずつ順に傾斜を累積させたラインになっている。例えば、ラインＬＡよりも右側のラインＬｎは、画像データ上において搬送方向に向かって時計回りに０．０１度刻みで順に傾斜角を増すように設定されている。また、ラインＬＡよりも左側のラインＬｎは、画像データ上において搬送方向に向かって反時計回りに０．０１度刻みで順に傾斜角を増すように設定されている。
【００８５】
ガイド３が記録装置１００に取り付けられた後、ガイド３の凸部１４の母線方向が搬送方向に沿っているかどうかを検査するため、記録装置１００は、検査用画像ＣＭをレンズシートＬに記録する。もし記録装置１００が理想的に組み立てられていれば、ラインＬＡは搬送方向に一致してレンズシートＬ上に記録される。すなわち、記録装置１００が理想的に組み立てられていれば、ラインＬＡは、レンズシートＬの母線方向に沿って記録されているはずである。記録装置１００が検査用画像をレンズシートＬに記録した後、検査者は、レンチキュラーレンズ７の側から検査用画像を検査する。
【００８６】
図１８は、レンチキュラーレンズの側から見た検査用画像の説明図である。複数本のラインＬｎのうち、レンチキュラーレンズ７の母線方向と一致して記録されたラインＬｎは、連続した１本のラインとして視認することができる。他方、レンチキュラーレンズ７の母線方向に沿って記録されていないラインＬｎは、複数のシリンドリカルレンズ１３にまたがって記録されるため、例えば、ラインＬＣ等のように不連続で分断されたラインになる。もし記録装置１００が理想的に組み立てられていれば、ラインＬＡが１本のラインとして視認されるはずである。他方、ガイド３の凸部１４の母線方向が搬送方向に対して傾斜していれば、ラインＬＡは分断されたラインとして視認され、その傾斜角度に相当する別のラインＬＢが１本のラインとして視認される。
【００８７】
そこで、検査者は、１本に視認できるラインを特定し、そのラインに相当する角度の分だけガイド３の取付角度を調整する。例えば、この場合、現在のガイド３の取付角度に対して、０．０３度だけ傾斜するようにガイド３の取付角度を調整する。これにより、ガイド３の凸部１４が搬送方向に沿うようにガイド３が記録装置１００に取り付けられる。
【００８８】
なお、上記の説明では、検査者がレンズシートＬに記録された検査用画像を視認していたが、これに限られるものではない。例えば、スキャナがレンズシートＬに記録された検査用画像を読み取り、読み取り結果に基づいて、ガイド３の取付角度を決定しても良い。
【００８９】
＝＝＝給紙の変形例＝＝＝
前述の実施形態では、レンズシートＬが記録装置１００の背面側から供給されていた。しかし、これに限られるものではない。
【００９０】
図１９Ａは、ＡＳＦ（オート・シート・フィーダー）を備えた記録装置の説明図である。このように記録装置１００の上側からレンズシートＬを供給しても良い。  
図１９Ｂは、記録装置の前面から開閉可能な給紙カセットを備えた記録装置の説明図である。このように記録装置の下側からレンズシートＬを供給しても良い。  
いずれの場合においても、ヘッド６がレンズシートＬに記録を行う前に、レンズシートＬがガイド３上で押さえつけられながら搬送されているので、レンズシートＬを精度良く搬送方向に搬送できる。
【００９１】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００９２】
＜押圧部材について＞
前述の実施形態では、搬送ローラー４若しくは搬送ローラー４とは別の押圧ローラー２４が、レンズシートＬをガイド３に押し付けるための押圧部材となっていた。但し、例えば指でガイド３にレンズシートＬを押し付けながら、記録装置にレンズシートＬを供給するのであれば、押圧ローラーを設けなくても、レンズシートＬの斜行を防止・修正できる。
【符号の説明】
【００９３】
２  筐体、３  ガイド、３Ａ・３Ｂ  端面、
４  搬送ローラー、４Ａ  バネ要素、
５  排紙ローラー、６  ヘッド、７  レンチキュラーレンズ、
８  画像形成層、８Ａ  インク透過層、８Ｂ  インク吸収層、
９  給紙開口部、１０  排紙開口部、１１  基板、１２  係合部、
１３  シリンドリカルレンズ、１４  凸部、
１６  搬送用モーター、１７  排紙用モーター、
１８  キャリッジ、１９  キャリッジガイド、
２０  キャリッジ用モーター、２１  タイミングベルト、
２３  プラテン、２４  押圧ローラー、２４Ａ  バネ要素、
２５  給紙部、３４  突起、４４  凸部、
１００  記録装置、１１０  コンピューター、
ＣＭ  検査用画像、Ｌｎ  ライン、
Ｌ  レンズシート、Ｓ  紙
【図１】
2010228108.tif 000003
【図２】
2010228108.tif 000004
【図３】
2010228108.tif 000005
【図４】
2010228108.tif 000006
【図５】
2010228108.tif 000007
【図６】
2010228108.tif 000008
【図７】
2010228108.tif 000009
【図８】
2010228108.tif 000010
【図９】
2010228108.tif 000011
【図１０】
2010228108.tif 000012
【図１１】
2010228108.tif 000013
【図１２】
2010228108.tif 000014
【図１３】
2010228108.tif 000015
【図１４】
2010228108.tif 000016
【図１５】
2010228108.tif 000017
【図１６】
2010228108.tif 000018
【図１７】
2010228108.tif 000019
【図１８】
2010228108.tif 000020
【図１９】
2010228108.tif 000021